(57)【要約】【課題】ストロボ発光方向を無段階に微妙に調整すること。【解決手段】発光部を有するヘッダ部と、カメラへの装着機構を有する本体部とから成るストロボ装置において、前記ヘッダ部を無段階に水平方向或いは垂直方向に回転させる回転機構部によって前記ヘッダ部と前記本体部を連結することにより、ストロボ発光方向を無段階に微妙に調整することができる。【選択図】　図１
2004020888.tif 000002
【特許請求の範囲】
【請求項１】
発光部を有するヘッダ部と、カメラへの装着機構を有する本体部とから成るストロボ装置において、
前記ヘッダ部を無段階に水平方向に回転させる回転機構部によって前記ヘッダ部と前記本体部を連結することを特徴とするストロボ装置。
【請求項２】
発光部を有するヘッダ部と、カメラへの装着機構を有する本体部とから成るストロボ装置において、
前記ヘッダ部を無段階に垂直方向に回転させる回転機構部によって前記ヘッダ部と前記本体部を連結することを特徴とするストロボ装置。
【請求項３】
前記回転機構部は、前記ヘッダ部の回転と一体に回転する第１の部材と、前記ヘッダ部の回転に拘らず固定され、前記第１の部材に対して圧接される第２の部材とを有することを特徴とする請求項１又は２に記載のストロボ装置。
【発明の詳細な説明】
【０００１】
【発明の属する技術分野】
本発明は、ストロボ装置に係り、特にストロボ発光方向を可変する機構に関する。
【０００２】
【従来の技術】
従来より、照度の足りない所で写真撮影をする際にカメラにストロボ装置が内蔵されていない場合は、外付けのストロボ装置を装着してストロボ撮影することが行われている。このような外付けのストロボ装置はカメラに装置を固定する装着部が下部に付いている本体部と、発光部を有するヘッダ部に別れており、ヘッダ部はストロボ発光範囲が変えられるように本体部に対して水平方向或いは垂直方向に回転して、ヘッダ部の正面に形成されている発光部の向きを変化できるようになっている。
【０００３】
【発明が解決しようとする課題】
上記のような従来のストロボ装置のヘッダ部を水平方向（或いは垂直方向）に回転させて発光部の向きを変える機構では、ヘッダ部を正面に対して、例えば、０度、４５度、６０度、７５度、９０度と段階的に変化させて、発光部の向きを変えられるようになっている。しかし、これでは、発光部を正面に対して例えば３０度の向きにして撮影することができず、ストロボ装置の発光方向を微妙に変更することができなかった。従って、カメラによる撮影幅にも限界があった。
【０００４】
本発明は、上述の如き従来の課題を解決するためになされたもので、その目的は、ヘッダ部を本体部に対して無段階に水平（或いは垂直）方向に回転させる回転機構を設けることにより、カメラに固定される本体部に対してヘッダ部を無段階に水平方向（或いは垂直方向）に回転させて、ストロボ発光方向を無段階に微妙に調整することができるストロボ装置を提供することである。
【０００５】
【課題を解決するための手段】
本発明の課題を解決する請求項１の発明は、発光部を有するヘッダ部と、カメラへの装着機構を有する本体部とから成るストロボ装置において、前記ヘッダ部を無段階に水平方向に回転させる回転機構部によって前記ヘッダ部と前記本体部を連結することを特徴とする。
【０００６】
このような構成により、前記ヘッダ部は前記回転機構部により無段階に水平方向に回転し、前記ヘッダ部の発光部から発光されるストロボ光の照射方向を水平面内で無段階に変更することができる。
【０００７】
請求項２の発明は、発光部を有するヘッダ部と、カメラへの装着機構を有する本体部とから成るストロボ装置において、前記ヘッダ部を無段階に垂直方向に回転させる回転機構部によって前記ヘッダ部と前記本体部を連結することを特徴とする。
【０００８】
このような構成により、前記ヘッダ部は前記回転機構部により無段階に垂直方向に回転し、前記ヘッダ部の発光部から発光されるストロボ光の照射方向を垂直面内で無段階に変更することができる。
【０００９】
請求項３の発明は、前記請求項１又は２において、前記回転機構部は、前記ヘッダ部の回転と一体に回転する第１の部材と、前記ヘッダ部の回転に拘らず固定され、前記第１の部材に対して圧接される第２の部材とを有することを特徴とする。
【００１０】
このような構成により、へッダ部に所定以上の力を加えると、第１の部材が第２の部材の摩擦力に抗して回転し、所定以下の力では第１の部材は第２の部材との摩擦力により回転せず、前記ヘッダ部は本体部に対して固定される。
【００１１】
【発明の実施の形態】
以下、本発明の実施の形態を図面に基づいて説明する。図１は、本発明の一実施の形態に係るストロボ装置の構成例を示した正面図である。ストロボ装置１は、発光部２１を有するヘッダ部２と本体部３とから成り、本体部３の下部にはカメラ（図示せず）への装着部４が設けられている。
【００１２】
ヘッダ部２と本体部３の間は回転機構部５により連結されている。この回転機構部５は上、下２個の部材５ａ、５ｂに分割されていて、これら部材５ａ、５ｂは圧接されて、すり合わせ部を形成している。回転機構部５の中心には図示しない回転軸があり、この回転軸と部材５ａは一体に回転し、それに対して部材５ｂは固定されていて回転しないようになっている。
【００１３】
へッダ部２に所定以上の力を加えると、部材５ａが部材５ｂの摩擦力に抗して回転し、所定以下の力では部材５ａは部材５ｂとの摩擦力により回転せず、ヘッダ部２は本体部３に対して固定される。
【００１４】
従って、発光部２１の向きを変えるためにヘッダ部２を水平方向に回転させると、回転軸と部材５ａは一体に回転するが、部材５ｂとの摩擦力により任意の回転角度でヘッダ部２の回転を止めてヘッダ部２を本体部３に対して固定することができる。従って、発光部２１は本体部３に対して任意の向きで固定することができ、発光部２１から照射されるストロボ光の発光方向を水平面内で微妙に調整して固定することができる。
【００１５】
本実施の形態によれば、ヘッダ部２を水平方向に無段階に回転させることができるため、ストロボ発光方向を水平面内で微妙に調整してストロボ撮影することができ、これにより、ストロボ撮影範囲を広げることができる。
【００１６】
尚、上記実施の形態では、ヘッダ部２を本体部３に対して水平方向に無段階に回転させる回転機構部５により上記効果を得る構成について説明したが、ヘッダ部２を本体部３に対して垂直方向に無段階に回転させる同様の回転機構部を設けることにより、ヘッダ部２を本体部３に対して垂直方向に無段階に回転させて、ストロボ発光方向を垂直面内で微妙に調整することができる。また、水平、垂直用の両回転機構部を同時に用いることにより、ヘッダ部２を本体部３に対して水平及び垂直方向に無段階に回転させることができ、ストロボ発光方向をあらゆる向きに対して微妙に調整してストロボ撮影することができる。
【００１７】
尚、本発明は上記実施の形態に限定されることなく、その要旨を逸脱しない範囲において、具体的な構成、機能、作用、効果において、他の種々の形態によっても実施することができる。
【００１８】
【発明の効果】
以上詳細に説明したように、本発明によれば、ヘッダ部を本体部に対して無段階に水平（或いは垂直）方向に回転させる回転機構を設けることにより、カメラに固定される本体部に対してヘッダ部を無段階に水平（或いは垂直）方向に回転させてストロボ発光方向を無段階に微妙に調整することができる。
【図面の簡単な説明】
【図１】本発明の一実施の形態に係るストロボ装置の構成例を示した正面図である。
【符号の説明】
１　ストロボ装置
２　ヘッダ部
３　本体部
４　装着部
５　回転機構部
５ａ、５ｂ　部材
２１　発光部
【図１】
2004020888.tif 000003